(57)【特許請求の範囲】
【請求項１】
撮像部と、
前記撮像部に対して回転自在に取り付けられた回転体と、
前記回転体に取り付けられた複数の鏡筒部と
を備え、前記鏡筒部は画角が互いに異なるレンズをそれぞれ有しており、前記鏡筒部の前記レンズの光軸が前記回転体の回転の軸と交差する方向と直交しており、前記回転体の回転停止位置に応じた前記鏡筒部を介して前記撮像部へ光が導かれる
カメラ。
【請求項２】
前記レンズからの光が、前記撮像部の受光面に直接に入射する
請求項１記載のカメラ。
【請求項３】
前記撮像部の受光面は、前記回転体の回転の軸と平行である
請求項１記載のカメラ。
【請求項４】
前記レンズからの光を折り曲げて前記撮像部の受光面に入射させる光路変更手段を有している
請求項１記載のカメラ。
【請求項５】
前記レンズからの光を折り曲げて前記撮像部の受光面に入射させる光路変更手段を有している
請求項１記載のカメラ。
【請求項６】
前記撮像部と前記撮像部に光を導く位置に配置された前記鏡筒部との間に、前記撮像部と前記鏡筒部との間の隙間を閉塞する遮光部材を備える
請求項１〜請求項５の何れかに記載のカメラ。
【発明の詳細な説明】
【０００１】
【発明の属する技術分野】
本発明は光学全長を抑えながら画角変更を可能とする機構を備えたカメラに関するものである。
【０００２】
【従来の技術】
光学全長を抑え、カメラ厚を薄型化することのできるカメラとして特開平７−３１８８４９号公報を挙げることができる。
【０００３】
【発明が解決しようとする課題】
しかし、特開平７−３１８８４９号公報の技術では、画角を変更できない。そこで、一般に広く用いられているズーム鏡筒と同じ原理を導入することによって画角変更機能を実現しようとすると、画角変更のためにレンズ間の空気間隔を変化させなければならないため、光学系の全長が、単焦点光学系よりも長くなってしまい、カメラの薄型化というメリットを損なうことになる。
【０００４】
また、ピンホールカメラは、光学系が比較的単純であるというメリットとのトレードオフとして、画像の歪みなどの収差や周辺光量比などの光学特性が通常の光学系よりも劣る。しかも画角が変わると、一般にこれらの光学特性は変わってしまうという問題がある。
【０００５】
また、鏡筒部としてピンホール光学部を使用した場合であっても、画角を切り換えると読み込み画像の品質が変化してしまう問題がある。
本発明は、薄型でありながら画角を変更できるカメラを提供することを目的とする。
【０００６】
また、鏡筒部としてピンホール光学部を使用した場合であっても、画角を切り換えても読み込み画像の品質が安定しているカメラを提供することを目的とする。
【０００７】
【課題を解決するための手段】
本発明の請求項１記載のカメラは、撮像部と、前記撮像部に対して回転自在に取り付けられた回転体と、前記回転体に取り付けられた複数の鏡筒部とを備え、前記鏡筒部は画角が互いに異なるレンズをそれぞれ有しており、前記鏡筒部の前記レンズの光軸が前記回転体の回転の軸と交差する方向と直交しており、前記回転体の回転停止位置に応じた前記鏡筒部を介して前記撮像部へ光が導かれることを特徴とする。
本発明の請求項２記載のカメラは、請求項１において、前記レンズからの光が、前記撮像部の受光面に直接に入射することを特徴とする。
本発明の請求項３記載のカメラは、請求項１において、前記撮像部の受光面は、前記回転体の回転の軸と平行であることを特徴とする。
本発明の請求項４記載のカメラは、請求項１において、前記レンズからの光を折り曲げて前記撮像部の受光面に入射させる光路変更手段を有していることを特徴とする。
本発明の請求項５記載のカメラは、請求項１において、前記レンズからの光を折り曲げて前記撮像部の受光面に入射させる光路変更手段を有していることを特徴とする。
本発明の請求項６記載のカメラは、請求項１〜請求項５の何れかにおいて、前記撮像部と前記撮像部に光を導く位置に配置された前記鏡筒部との間に、前記撮像部と前記鏡筒部との間の隙間を閉塞する遮光部材を備えることを特徴とする。
【０００８】
この構成によると、ズーム鏡筒の原理を導入しなくても画角を切り換えることができ、薄型化を実現できる。
【００２０】
【発明の実施の形態】
以下、本発明のカメラの各実施の形態を図１〜図１４に基づいて説明する。
（実施の形態１）
図１〜図１０は本発明の（実施の形態１）を示す。
【００２１】
図１（ａ）（ｂ）に示すように、扁平型（具体的には、厚みが１０ｍｍ以下のカード状）のカメラ本体１には、撮像部としてのＣＣＤ素子３と演算処理装置９およびメモリ１０などが搭載されたプリント基板１６が内蔵されている。メモリ１０に書き込まれた画像データは通信ケーブルまたはワイヤレスで外部に転送される。
【００２２】
カメラ本体１の上面部で前記ＣＣＤ素子３の受光窓に対向する部分には、開口１ａが形成されている。カメラ本体１の底部に基端が回転自在に支持された回転軸５は、開口１ａからカメラ本体１の外部に延設され、回転軸５の先端には開口１ａを覆うように撮像部に対して回転自在となる回転体４が取り付けられている。回転体４の裏面には、同一の半径上に所定間隔おきに複数の鏡筒部２ａ，２ｂ，２ｃが設けられている。
【００２３】
鏡筒部２ａは図２に示すように構成されている。
鏡筒部２ａは、カップ状で底部に開口１３ａが穿設され前記回転体４に取り付けられた鏡筒１３と、中央にピンホール１２が穿設され前記鏡筒１３の上端開口を閉塞するように取り付けられたピンホール板１１と、ピンホール板１１の裏面に取り付けられたレンズ１４とで構成されている。鏡筒部２ｂ，２ｃも鏡筒部２ａと同様に構成されており、鏡筒部２ａ〜２ｃは互いのピンホール１１の断面形状やレンズ１４の形状、材質，レンズ１４とＣＣＤ素子３との距離が異なる。
【００２４】
このように構成したため、回転体４の前記カメラ本体１の側面から外側へ露出した部分Ａに利用者が指を掛けて回転軸５を中心に回転体４を回動操作することによって、ＣＣＤ素子３の受光窓の前方に位置する鏡筒部２ａ〜２ｃを入れ換えることができる。
【００２５】
なお、カメラ本体１の底部には図１（ｂ）に示すように接眼用透過窓１ｃが形成されており、回転体４には鏡筒部２ａ〜２ｃの近傍位置に接眼用透過窓１ｃに対応してファインダー窓６ａ〜６ｃが穿設されている。このファインダー窓６ａ〜６ｃの大きさは図３（ａ）（ｂ）（ｃ）に詳細を示すようにそれぞれの鏡筒部２ａ〜２ｃの画角に応じた撮影範囲を示す大きさに作られている。
【００２６】
鏡筒部２ａ〜２ｃの何れかがＣＣＤ素子３の受光窓の前方位置でクリック停止できるように、回転体４の裏面側には図１および図４（ａ）（ｂ）（ｃ）に示すように前記回転軸５を中央にして互いに異なる半径ｒ１，ｒ２，ｒ３上にクリック機構１７ａ〜１７ｃが設けられている。
【００２７】
クリック機構１７ａは図５（ａ）（ｂ）に示すように回転体４の裏面に形成された凹部３０とその内側に仕組まれたボール１８ａとこのボール１８ａを前記カメラ本体１における前記回転体４の対向部分に押し出す圧縮バネ１９とで構成されている。鏡筒部２ａがＣＣＤ素子３の受光窓の前方位置で停止した状態でボール１８ａが係合するように前記カメラ本体１における前記回転体４の対向部分には図５（ｂ）に示すように凹部２０ａが形成されている。
【００２８】
クリック機構１７ｂ，１７ｃもクリック機構１７ａと同様に構成されており、前記カメラ本体１における前記回転体４の対向部分には図４（ｄ）に示すように、鏡筒部２ｂがＣＣＤ素子３の受光窓の前方位置で停止した状態でクリック機構１７ｂのボール１８ｂが係合するように凹部２０ｂが形成され、鏡筒部２ｃがＣＣＤ素子３の受光窓の前方位置で停止した状態でクリック機構１７ｃのボール１８ｃが係合するように凹部２０ｃが形成されている。さらに、各凹部２０ａ〜２０ｃの底部にはスイッチ２１ａ，２１ｂ，２１ｃを設け、スイッチ２１ａ〜２１ｃの検出状態を検出すれば鏡筒部２ａ〜２ｃの何れがＣＣＤ素子３の受光窓の前方位置で停止しているかを確認できる。
【００２９】
具体的には、鏡筒部２ａがＣＣＤ素子３の受光窓の前方位置で停止した状態ではスイッチ２１ａがボール１８ａの係合を検出し、スイッチ２１ｂ，２１ｃはボール１８ｂ，１８ｃの係合を検出していない。鏡筒部２ｂがＣＣＤ素子３の受光窓の前方位置で停止した状態ではスイッチ２１ｂがボール１８ｂの係合を検出し、スイッチ２１ａ，２１ｃはボール１８ａ，１８ｃの係合を検出していない。鏡筒部２ｃがＣＣＤ素子３の受光窓の前方位置で停止した状態ではスイッチ２１ｃがボール１８ｃの係合を検出し、スイッチ２１ａ，２１ｂはボール１８ａ，１８ｂの係合を検出していない。
【００３０】
図６に示すように演算処理装置９は、スイッチ２１ａ〜２１ｃの出力状態からＣＣＤ素子３の受光窓の前方位置で停止している鏡筒部が鏡筒部２ａ〜２ｃの何れであるかを認識して、その画角に応じてＣＣＤ素子３の出力信号の収差や周辺光量比の落ち込みを補正処理してメモリ１０に書き込む。
【００３１】
具体的には、図７（ａ）に示すように糸巻き形の歪みを伴っている鏡筒部の画像については、演算処理装置９は図７（ｂ）に示すように予め決められた幾何変換を実施して読み取り画像の補正を実行する。
【００３２】
図７（ｃ）に示すように樽形の歪みを伴っている鏡筒部の画像については、演算処理装置９は図７（ｄ）に示すように予め決められた幾何変換を実施する。なお、この予め決められた幾何変換は色別（ＲＧＢの色成分）毎に実施するように構成されており、色収差および歪曲収差を補正し、像の歪みや色ずれの無い画像をメモリ１０に書き込むように構成されている。
【００３３】
さらに演算処理装置９では、図８（ａ）または（ｃ）に示すように中央部の光量を１００％としてその周辺部に通過光量にバラツキがある鏡筒部の画像については、演算処理装置９は予め決められた輝度変換を実施して図８（ｂ）または（ｄ）に示すように画面中における輝度のバラツキを補正する。
【００３４】
更に具体的には、画像中央部に達する光量に対する画像周辺部の座標（ｘ，ｙ）に達する光量の比率（周辺光量比）の関数ｒ（ｘ，ｙ）を各鏡筒部ごとに予め求めておき、この関数に基づいてＣＣＤ素子３から得られた画像の輝度値をＢ（ｘ，ｙ）を、Ｂ’（ｘ，ｙ）＝Ｂ（ｘ，ｙ）／ｒ（ｘ，ｙ）によって補正する。
【００３５】
このように構成したため、利用者が回転体４を回動させて接眼用透過窓１ｃからファインダー窓６ａ〜６ｃを通して被写体を覗いて、適当な画角の鏡筒部を選択すると、演算処理装置９が選択された鏡筒部を認識して、鏡筒部２ａ〜２ｃの固有の収差や輝度むらを自動補正するので、構造が単純で、かつ薄型化が可能なピンホール光学部を採用した場合であっても、良好な画像を得ることができる。
【００３６】
なお、図２に示すようにＣＣＤ素子３と鏡筒部２ａ〜２ｃとの間の隙間には、緩衝部材１５が介在しており、隙間から不要光がＣＣＤ素子３に入射しないように構成されている。具体的には、ＣＣＤ素子３の受光窓の周囲に緩衝部材１５が設けられており、鏡筒部が入れ換わる際に緩衝部材１５に引っかからないように鏡筒部２ａ〜２ｃの出射側の端面の角部は、面取りされている。
【００３７】
なお、前記クリック機構１７ａ〜１７ｃと凹部２０ａ〜２０ｃを設けたので、回転体４を操作して前記ＣＣＤ素子３の撮像範囲のほぼ中心に鏡筒部２ａ〜２ｃの何れかの中心を一致させて停止させることができるが、ＣＣＤ素子３の撮像範囲は鏡筒部２ａ〜２ｃの有効結像範囲よりも大きく設定することによって、鏡筒部２ａ〜２ｃの停止位置が僅かにずれても画像の欠けなく読み取ることができる。
【００３８】
具体的には、図９（ｂ）の３１はＣＣＤ素子３の撮像範囲を示し、図９（ａ）に示すように鏡筒部２ａの中心がＣＣＤ素子３の撮像範囲３１の中心に一致した停止位置Ｓ０での鏡筒部２ａの有効結像範囲３２−０は、ＣＣＤ素子３の撮像範囲３１よりも小さい。鏡筒部２ａの中心がＣＣＤ素子３の撮像範囲３１の中心に対して図９（ａ）に示す停止位置ＳＡまたはＳＢに僅かに位置ずれして停止した場合のそれぞれの有効結像範囲３２−Ａ，３２−Ｂも図９（ｂ）に示すようにＣＣＤ素子３の撮像範囲３１に収まるように構成されている。
【００３９】
このようにＣＣＤ素子３の撮像範囲は鏡筒部２ａ〜２ｃの有効結像範囲よりも大きく設定した場合の前記演算処理装置９による読み出しの具体的な構成を示す。
【００４０】
演算処理装置９は図１０（ｂ）に示すステップＳ１で有効結像範囲の大きさのマスク３３を設定する。ステップＳ２では図１０（ａ）に示すＣＣＤ素子３の撮像範囲３１内の初期位置におけるマスク３３内の輝度の和を算出し、ステップＳ３でＣＣＤ素子３の撮像範囲３１内におけるマスク３３の位置を次の位置に移動させ、ステップＳ４ではマスク３３の位置の移動が完了したかどうかを判定し、ステップＳ２〜ステップＳ４を繰り返し実行してＣＣＤ素子３の撮像範囲３１内の輝度データを収集し、ステップＳ５ではマスク３３内の輝度の和の最大値をとるマスク位置が有効結像範囲と決定して、演算処理装置９はＣＣＤ素子３の撮像範囲３１内のステップＳ５で決定された位置のマスク３３の範囲内の画像を読み取るように構成されている。
【００４１】
したがって、ＣＣＤ素子３の撮像範囲３１の中心に対する鏡筒部２ａ〜２ｃの中心の停止位置がＳＡまたはＳＢに僅かに位置ずれして停止した場合であっても、ＣＣＤ素子３の撮像範囲３１から有効結像範囲の画像だけを切り出して読み取ることができるので、回転体４の位置決め精度が緩くても良好な出力画像が得られる。
【００４２】
なお、演算処理装置９はＣＣＤ素子３の出力信号の収差の補正と周辺光量比の落ち込み補正ならびに有効結像範囲の画像だけを切り出して読み取る処理とを実施したが、何れかの補正を実行するだけでも幾分の画質の改善を期待できる。
【００４３】
（実施の形態２）
図１１と図１２は本発明の（実施の形態２）を示し、（実施の形態１）と同様の作用をなすものには同一の符号を付けて説明する。
【００４４】
この（実施の形態２）では鏡筒部２ａ〜２ｃの内部で光軸を折り曲げるように構成されており、回転体４に対する鏡筒部２ａ〜２ｃの取り付けの向きが（実施の形態１）とは異なっている。それに伴い（実施の形態１）に設けられていた接眼用透過窓１ｃならびにファインダー窓６ａ〜６ｃは存在していない。
【００４５】
鏡筒部２ａ〜２ｃはレンズ１４と光路変更手段としてのミラー２２とで構成されており、回転体４の外周面にピンホール１２が穿設されて構成されている。その他の構成は（実施の形態１）と同じである。
【００４６】
なお、ここでは鏡筒部２ａ〜２ｃにピンホール光学部を用いた場合を示したが、鏡筒部２ａ〜２ｃの光学系はこれに限定されるものではない。
（実施の形態３）
図１３（ａ）（ｂ）は本発明の（実施の形態３）を示す。（実施の形態１）（実施の形態２）と同様の作用をなすものには同一の符号を付けて説明する。
【００４７】
（実施の形態１）（実施の形態２）では鏡筒部２ａ〜２ｃが取り付けられた回転体４が、回転軸５で支持されて回動自在に構成されていたが、この（実施の形態３）では、鏡筒部２ａ〜２ｃが取り付けられたスライド板３４はカメラ本体１に形成された溝３５に沿ってスライド自在に構成されており、スライド板３４を移動させてＣＣＤ素子３の受光窓の前方に位置する鏡筒部を入れ換えるように構成されている。図１３（ａ）（ｂ）では鏡筒部２ｂがＣＣＤ素子３の受光窓の前方に位置している。
【００４８】
なお、鏡筒部２ａ〜２ｃの要部の構造は（実施の形態１）と同一の構成または（実施の形態２）の場合と同様にこの（実施の形態３）ではスライド板３４にピンホールを形成した構成、あるいは図１３（ｃ）に示すようにレンズ３６，３７と絞り板３８とで構成することもできる。
【００４９】
（実施の形態４）
図１４（ａ）〜（ｆ）は本発明の（実施の形態４）を示す。（実施の形態１）（実施の形態２）と同様の作用をなすものには同一の符号を付けて説明する。
【００５０】
上記の各実施の形態のカメラ本体１は扁平状であったが、この（実施の形態４）ではカメラ本体１が筒状に形成されている。
カメラ本体１の端部には、図１４（ａ）〜（ｃ）に示すようにＣＣＤ素子３を内蔵した筒状の遮光部材３９が形成されている。ＣＣＤ素子３は受光窓を遮光部材３９の周面に向けて取り付けられており、ＣＣＤ素子３の受光窓に対応して遮光部材３９に窓４０が穿設されている。窓４０の周りには緩衝部材１５が張り付けられている。鏡筒部が入れ換わる際に緩衝部材１５に引っかからないように鏡筒部２ａ〜２ｃの出射側の端面の角部は、面取りされている。
【００５１】
この遮光部材３９の外側には図１４（ｄ）〜（ｆ）に示すように鏡筒部２ａ〜２ｃが取り付けられたカップ状の回転体４１が回動自在にカメラ本体１に前記遮光部材３９と同軸上に取り付けられている。回転体４１の周面には鏡筒部２ａ〜２ｃの取り付け位置にそれぞれピンホール１２が穿設されている。
【００５２】
このように構成したため、カメラ本体１に対して回転体４１を回転させることによって、ＣＣＤ素子３の受光窓の前方に位置する鏡筒部を入れ換えることができ、目的の画角で撮影できる。
【００５３】
【発明の効果】
以上のように本発明のカメラは、撮像部に対して移動自在の移動体もしくは回転区自在の回転体と、画角が異なるとともに所定間隔おきに前記移動体に取り付けられた複数の鏡筒部とを設け、前記移動体を移動させて前記撮像部への光路に介装される鏡筒部を入れ換えるように構成したため、ズーム鏡筒の原理を導入しなくても画角を切り換えることができ、薄型化を実現できる。
【００５４】
また、前記鏡筒部として鏡筒部を使用することによってより一層の薄型化を実現できる。
また、前記回転体の停止位置を検出する位置検出手段の出力に基づいて複数の鏡筒部の内の何れの鏡筒部が撮像部への光路に介装されるかを識別して撮像部の出力信号の信号処理を制御する演算処理装置を設けることによって、使用する鏡筒部に応じた画像処理を行うことができ、画角の異なる別の鏡筒部に切り換わった場合であっても画像の品質を維持できる。
【００５５】
また、前記演算処理装置を、使用中の鏡筒部に応じて収差補正処理特性または輝度補正処理特性を切り換えることによって、画角の異なる別の鏡筒部に切り換わった場合であっても画像の品質を維持できる。
【００５６】
また、撮像部と使用中の鏡筒部の出射側端部との間の隙間を閉塞する遮光部材を設けることによって不要光の入射が無く良好な撮像を実現できる。
また、前記撮像部の撮像範囲を鏡筒部の有効結像範囲よりも大きくするとともに、演算処理装置は撮像部の出力を読み取って信号処理して有効結像範囲のデータだけを切り出すように構成することによって、適正な読み出しを行える。
【００５７】
また、演算処理装置による有効結像範囲のデータの切り出しを、鏡筒部の有効結像範囲の大きさに対応した開口を有するマスクを設定し、このマスクで撮像部の撮像範囲を走査して、各位置におけるマスク内の輝度値の和を計算し、輝度値の和が最大となった位置のマスク範囲を有効結像範囲として切り出すように構成することによって、有効結像範囲のデータだけを切り出すことができる。
【００５８】
また、筐体に、前記撮像部と前記回転体および複数の前記鏡筒部とを組み込むとともに、前記回転体にファインダー窓を形成し、ファインダー窓に対応して前記筐体には接眼用透光窓を形成することによって、正確に被写体を捉えることができる。
【００５９】
また、ファインダー窓の大きさを、鏡筒部の画角に応じて異ならせることによって、適正な画角を選択して正確に被写体を捉えることができる。
また、前記撮像部を扁平状の筐体の内側底部に受光面を上に向けて配設し、前記回転体が筐体の底部と平行な姿勢で回転する円盤で、この円盤の筐体の前記底部と対向する面に前記鏡筒部を取り付け、前記円盤を回転させて撮像部の前記受光面への光路に介装される鏡筒部を入れ換えるように構成することによって、薄型化を実現できる。
【００６０】
また、前記撮像部を扁平状の筐体の内側底部に受光面を上に向けて配設し、前記回転体が筐体の底部と平行な姿勢で内周面が回転するリングで、このリングの前記内周面に前記鏡筒部を取り付け、撮像部の受光面の上方に前記鏡筒部からの光を撮像部の受光面に導く光路変更手段を設け、前記リングを回転させて撮像部の前記受光面への光路に介装される鏡筒部を入れ換えるように構成することによって、薄型化を実現できる。
【００６１】
また、前記回転体が前記撮像部を中央にしてその受光面と裏面との方向に回転し、この回転体の前記内周面に前記鏡筒部を取り付け、前記回転体を回転させて撮像部の前記受光面への光路に介装される鏡筒部を入れ換えるように構成することによって、薄型化を実現できる。
【図面の簡単な説明】
【図１】本発明の（実施の形態１）のカメラの平面図と一部切り欠き正面図
【図２】同実施の形態の回転体と鏡筒部の拡大断面図
【図３】同実施の形態の接眼用透過窓と各ファインダー窓を示す説明図
【図４】同実施の形態の回転体における各クリック機構の位置を示す平面図とカメラ本体に形成された凹部を示す平面図
【図５】同実施の形態のクリック機構がカメラ本体の凹部に係合しない状態と係合した状態を示す断面図
【図６】同実施の形態の信号処理回路の構成図
【図７】同実施の形態の演算処理装置における収差補正処理の前後の画面の説明図
【図８】同実施の形態の演算処理装置における輝度補正処理の前後の画面の説明図
【図９】同実施の形態の回転体の停止位置のずれを示す平面図とＣＣＤ素子の撮像範囲と鏡筒部の有効結像範囲の大きさの違いを示す説明図
【図１０】同実施の形態の演算処理装置における画像信号読み込み処理のマスクの移動を示す説明図と画像信号読み込み処理のフローチャート図
【図１１】本発明の（実施の形態２）のカメラの平面図と一部切り欠き正面図
【図１２】同実施の形態の要部の拡大断面図
【図１３】本発明の（実施の形態３）のカメラの平面図と一部切り欠き正面図および各実施の形態における鏡筒部の別の実施例を示す拡大断面図
【図１４】本発明の（実施の形態４）の回転体を取り外した状態の正面図とそのＡ−Ａ断面図および側面図ならびに回転体を取り付けた状態の正面図とそのＢ−Ｂ断面図および側面図
【符号の説明】
１    カメラ本体
１ａ    開口
１ｃ    接眼用透過窓
２ａ，２ｂ，２ｃ    鏡筒部
３    ＣＣＤ素子
４    回転体
５    回転軸
６ａ〜６ｃ    ファインダー窓
９    演算処理装置
１０    メモリ
１１    ピンホール板
１２    ピンホール
１３    鏡筒
１３ａ    開口
１４    レンズ
１５    緩衝部材
１６    プリント基板
１７ａ〜１７ｃ    クリック機構
１８ａ，１８ｂ，１８ｃ    ボール
１９    圧縮バネ
２０ａ，２０ｂ，２０ｃ    凹部
２１ａ，２１ｂ，２１ｃ    スイッチ
２２    ミラー
３０    凹部
３１    ＣＣＤ素子の撮像範囲
３２−０，３２−Ａ，３２−Ｂ    鏡筒部２ａ〜２ｃの有効結像範囲
３４    スライド板
３５    溝
３６，３７    レンズ
３８    絞り板
３９    遮光部材
４０    窓
【図１】
0004467161.tif 000002
【図２】
0004467161.tif 000003
【図３】
0004467161.tif 000004
【図４】
0004467161.tif 000005
【図５】
0004467161.tif 000006
【図６】
0004467161.tif 000007
【図７】
0004467161.tif 000008
【図８】
0004467161.tif 000009
【図９】
0004467161.tif 000010
【図１０】
0004467161.tif 000011
【図１１】
0004467161.tif 000012
【図１２】
0004467161.tif 000013
【図１３】
0004467161.tif 000014
【図１４】
0004467161.tif 000015